(57)【要約】【課題】軟質材料製のマット本体上にエアバッグが配設されていても、このエアバッグが膨張するときに沈むことがなく、十分なマッサージ力が得られるマッサージ装置を提供すること。【解決手段】マッサージ装置は、軟質材料製のマット本体２上に配設されたエアバッグ７〜１０（又は１２〜１５及び１２′〜１５′）をエア給排気手段３３により膨張・収縮させるようにしている。しかも、このマッサージ装置では、前記マット本体２の上にプラスチック製で硬質の段ボール板５（又は６）が配設され、前記エアバッグ７〜１０（又は１２〜１５及び１２′〜１５′）が前記マット本体２上に取り付けられている。【選択図】  図１
2004255068.tif 000002
【特許請求の範囲】
【請求項１】
軟質材料製のマット本体上に配設されたエアバッグをエア給排気手段により膨張・収縮させるようにしたマッサージ装置において、
前記マット本体の上に容易に屈曲しない板状部材が配設され、前記エアバッグが前記板状部材上に取り付けられていることを特徴とするマッサージ装置。
【請求項２】
請求項１に記載のマッサージ装置において、前記板状部材は前記マット本体２の長手方向に複数隣接して配設されていると共に、前記マット本体２は前記隣接する板状部材間で折り畳み可能に設けられていることを特徴とするマッサージ装置。
【請求項３】
請求項１に記載のマッサージ装置において、前記板状部材はプラスチック製の段ボール板であり、前記段ボール板は上壁，下壁及びこれらを間隔をおいて一体に結合している平行な複数の支持壁を備え、前記エアバッグは一側縁部に設けた保持手段を介して前記段ボール板の上壁に取り付けられていると共に、前記エアバッグは保持手段から自由端部に向かう方向が前記支持壁の延びる方向と一致させられていることを特徴とするマッサージ装置。
【発明の詳細な説明】
【０００１】
【発明の属する技術分野】
この発明は、軟質材料製のマット本体上にエアバッグを配設するようにしたマッサージ装置に関するものである。
【０００２】
【従来の技術】
従来のマッサージ装置としては、マット本体上に複数のエアバッグを長手方向に配列して、この複数のエアバッグをエア給排気手段で膨張・収縮させるようにしたものが知られている（例えば、特許文献１参照）。
【０００３】
【特許文献１】
特開２００２−２８２０８号公報
【０００４】
【発明が解決しようとする課題】
しかしながら、このマッサージ装置では、マット本体が軟質材料から形成されているために、エアバッグを膨張させたときに、エアバッグがマット本体を変形させて沈んでしまい、マッサージ力が低下するという問題があった。
【０００５】
そこで、この発明は、軟質材料製のマット本体上にエアバッグが配設されていても、このエアバッグが膨張するときに沈むことがなく、十分なマッサージ力が得られるマッサージ装置を提供することを目的とするものである。
【０００６】
【課題を解決するための手段】
この目的を達成するため、この発明のマッサージ装置は、軟質材料製のマット本体上に配設されたエアバッグをエア給排気手段により膨張・収縮させるようにしたマッサージ装置において、前記マット本体の上に容易に屈曲しない板状部材が配設され、前記エアバッグが前記板状部材上に取り付けられていることを特徴とする。
【０００７】
【発明の実施の形態】
以下、この発明の実施の形態を図面に基づいて説明する。
【０００８】
図１において、１はマット式のエアマッサージ装置（マッサージ装置）、２はエアマッサージ装置１のマット本体である。このマット本体２は、例えば発泡ウレタン等の軟質材料から形成されている。尚、実際には、マット本体２は図示しない布製のカバーで覆われるので、実際には布製のカバーの上面が人体当接面となるが、実質的にはマット本体２の上面２ａが利用者の身体を支持する面となるので、説明の便宜上、マット本体２の上面２ａを人体当接面として説明する。
【０００９】
このマット本体２には、利用者の首・肩，背中，腰部等を配設する部分に対応する凹部３が形成されている。また、この凹部３の首・肩に対応する部分には首・肩用のマッサージ手段４が配設され、凹部３の背中に対応する部分にはプラスチック製で硬質の段ボール板（ベース部材）５がエアバッグ支持板（板状部材）として配設され、凹部３の腰に対応する部分にはプラスチック製の段ボール板（ベース部材）６がエアバッグ支持板（板状部材）として配設されている。
【００１０】
このように段ボール板５，６はマット本体２上に長手方向に隣接して配設されている。しかも、段ボール板５，６は僅かに間隔をおいて配設させられている。これにより、マット本体２は段ボール板５，６間で折り畳むことができるようになっている。
【００１１】
この段ボール板５，６は、例えばポリプロピレン等の合成樹脂を押し出し成形により形成したものである。尚、段ボール板５，６には、ポリプロピレン以外の容易に屈曲しない合成樹脂製板、又は他の木材や金属（例えばアルミ合金や他の金属）等の容易に屈曲しない板材からなる板状部材を用いることもできる。
【００１２】
この段ボール板５は、図４に示したように上壁５ａ、下壁５ｂ、及び上壁５ａと下壁５ｂを間隔をおいて一体に連設（結合）する複数の縦壁（支持壁）５ｃを有する。この複数の縦壁５ｃは互いに平行に且つ等ピッチ設けられていて、縦壁５ｃ，５ｃ間には断面四角形の空間５ｄが形成されている。この縦壁５ｃはマット本体２の長手方向に向けて延設されている。尚、複数の縦壁５ｃに替えて断面が波形状の支持壁を用いることもできる。この場合、波形状の支持壁は同じ方向に傾斜する傾斜縦壁部が互いに平行に設けられることになる。また、縦壁５ｃの上壁５ａ、下壁５ｂへの接合部は互いに平行に設けられている。さらに、波形状の支持壁の場合も上壁５ａ、下壁５ｂへの波形状の支持壁の接合部は互いに平行に設けられている。
【００１３】
この段ボール板６は、図４に示したように上壁６ａ、下壁６ｂ、及び上壁６ａと下壁６ｂを連設する複数の縦壁（支持壁）６ｃを有する。この複数の縦壁６ｃは互いに平行に且つ等ピッチ設けられていて、縦壁６ｃ，６ｃ間には断面四角形の空間６ｄが形成されている。この縦壁６ｃはマット本体２の幅方向（左右方向）に向けて延設されている。尚、複数の縦壁６ｃに替えて断面が波形状の支持壁を用いることもできる。この場合、波形状の支持壁は同じ方向に傾斜する傾斜縦壁部が互いに平行に設けられることになる。また、縦壁６ｃの上壁６ａ、下壁６ｂへの接合部は互いに平行に設けられている。さらに、波形状の支持壁の場合も上壁６ａ、下壁６ｂへの波形状の支持壁の接合部は互いに平行に設けられている。
【００１４】
そして、段ボール板５の左右の部分上には図１，図２，図５に示した様にエアバッグ７，８及び９，１０がそれぞれ配設されている。このエアバッグ７，９はマッサージ手段４側に配設されていて背中の肩に近い側の部分をマッサージするようになっており、エアバッグ８，１０は段ボール板６側に配設されて背中の腰に近い側をマッサージする様になっている。
【００１５】
しかも、図２に示したように、このエアバッグ７，８の互いに反対側の部分には薄板状のヒンジ７ａ，８ａが取付片として一体に設けられ、エアバッグ９，１０の互いに反対側の部分には薄板状のヒンジ９ａ，１０ａが取付片として一体に設けられている。このヒンジ７ａ，８ａ，９ａ，１０ａはネジ（保持手段）１１により段ボール板５の上壁５ａにそれぞれ取り付けられ（固定され）ている（図２，図５，図６参照）。尚、保持手段としては、ネジ１１以外にクリップや挟持部材、接着剤等を用いることができると共に、逢着や溶着等であっても良い。
【００１６】
これにより、エアバッグ７は、ネジ１１（又はヒンジ７ａ）から自由端に向う方向が、段ボール板５の縦壁（支持壁）５ｃの延びる方向又は上述の上壁５ａ、下壁５ｂへの支持壁の接合部の延びる方向（マット本体２の長手方向）と一致させられている。同様に、エアバッグ８〜１０は、ネジ１１（又はヒンジ８ａ，９ａ，１０ａ）から自由端に向う方向が、段ボール板５の縦壁（支持壁）５ｃの延びる方向又は上述の上壁５ａ、下壁５ｂへの支持壁の接合部の延びる方向（マット本体２の長手方向）と一致させられている。
【００１７】
これらの結果、エアバッグ７〜１０が膨張させられるときの圧力で、段ボール板５が縦壁（支持壁）５ｃに沿って折れる様なことが防止される様になっている。
【００１８】
また、段ボール板６上には、図３，図５に示した様に、エアバッグ１２，１３及び１４，１５がそれぞれ配設されている。このエアバッグ１２〜１５上にはエアバッグ１２′〜１５′がそれぞれ配設されている（図７，図８参照）。このエアバッグ１２，１２′及び１３，１３′は段ボール板５側の左右にそれぞれ配設されていて腰の背中に近い側の部分をマッサージするようになっており、エアバッグ１４，１４′及び１５，１５′は段ボール板５とは反対側の左右にそれぞれ配設されて腰の臀部に近い側をマッサージする様になっている。
【００１９】
また、このようにエアバッグ７〜１０を硬質の段ボール板５上に取り付けることにより、エアバッグ７〜１０を膨張させても、エアバッグ７〜１０が沈むようなことはない。
【００２０】
しかも、図８に示したようにエアバッグ１２，１３の互いに対向する側の部分には薄板状のヒンジ１２ａ，１３ａが取付片として一体に設けられ、図７に示したようにエアバッグ１４，１５の互いに対向する側の部分には薄板状のヒンジ１４ａ，１５ａが取付片として一体に設けられている。
【００２１】
また、図３，図５，図８に示したようにエアバッグ１２′，１３′の互いに対向する側の部分には薄板状のヒンジ１２ａ′，１３ａ′が取付片として一体に設けられ、図３，図５，図７に示したようにエアバッグ１４′，１５′の互いに対向する側の部分には薄板状のヒンジ１４ａ′，１５ａ′が取付片として一体に設けられている。
【００２２】
このヒンジ１２ａ，１２ａ′及び１３ａ，１３ａ′は図８に示したようにネジ１６により段ボール板６の上壁６ａにそれぞれ取り付けられ（固定され）ている（図３，図５参照）。また、ヒンジ１４ａ，１４ａ′及び１５ａ，１５ａ′は図７に示したようにネジ（保持手段）１６により段ボール板６の上壁６ａにそれぞれ取り付けられ（固定され）ている（図３，図５参照）。尚、保持手段としては、ネジ１６以外にクリップや挟持部材、接着剤等を用いることができると共に、逢着や溶着等であっても良い。
【００２３】
これにより、エアバッグ１２は、ネジ１６（又はヒンジ１２ａ）から自由端に向う方向が、段ボール板６の縦壁（支持壁）６ｃの延びる方向（マット本体２の左右方向）と一致させられている。同様にエアバッグ１３〜１５は、ネジ１６（又はヒンジ１３ａ，１４ａ，１５ａ）から自由端に向う方向が、段ボール板６の縦壁（支持壁）６ｃの延びる方向又は上述の上壁６ａ、下壁６ｂへの支持壁の接合部の延びる方向（マット本体２の左右方向）と一致させられている。また、同様にエアバッグ１２′〜１５′は、ネジ１６（又はヒンジ１２ａ′，１３ａ′，１４ａ′，１５ａ′）から自由端に向う方向が、段ボール板６の縦壁（支持壁）６ｃの延びる方向又は上述の上壁６ａ、下壁６ｂへの支持壁の接合部の延びる方向（マット本体２の左右方向）と一致させられている。
【００２４】
これらの結果、エアバッグ１２〜１５及び１２′〜１５′が膨張させられるときの圧力で、段ボール板６が縦壁（支持壁）６ｃに沿って折れる様なことが防止される様になっている。
【００２５】
また、マット本体２の中央部上には、図１に示したように段ボール板６に隣接して左右に延びる大腿部用のエアバッグ１７が配設されている。
【００２６】
しかも、このようにエアバッグ１２〜１５及び１２′〜１５′を硬質の段ボール板６上に取り付けることにより、エアバッグ１２〜１５及び１２′〜１５′を膨張させたときに、エアバッグ１２〜１５及び１２′〜１５′が沈むようなことはない。
＜マッサージ手段４＞
このマッサージ手段４は、図１，図９，図１０に示したように、板状のベース部材１８と、ベース部材１８上に配設された可動支持板１９と、可動支持板１９の左右の部分上に配設された挟持用支持板２０，２０を有する（図１１参照）。
【００２７】
このベース部材１８の段ボール板５側の縁部には、可動支持板１９の縁部がヒンジ２１，２１を介して上下及び前後に回動可能に取り付けられている。また、可動支持板１９には、挟持用支持板２０，２０間に配設したブラケット２２がネジ２３により固定されている。尚、ヒンジ２１の軸線は左右方向に向けて延びている。
【００２８】
このブラケット２２には、ヒンジ２４，２４を介して挟持用支持板２０，２０の対向縁部が回動可能に取り付けられている。このヒンジ２４は、図１２に示したようにブラケット２２と一体に設けられた筒体２５と、筒体２５に回動自在に保持され且つ挟持用支持板２０に保持された回動軸２６を有する。この筒体２５及び回動軸２６の軸線はヒンジ２１の回動軸線に対して間隔をおいて垂直に交差している。これにより、挟持用支持板２０，２０は、自由端部同士が相対接近・離反可能に回動できるようになっている。この挟持用支持板２０，２０の自由端部側の部分には、軸状の指圧部材（揉み部材）２７，２７が指圧手段として一体に突設されている。
【００２９】
また、マッサージ手段４は、ベース部材１８と可動支持板１９との間に配設された複数の第１のエアバッグ２８，２８，２８と、可動支持板１９と挟持用支持板２０との間に介装された複数の第２のエアバッグ２９，２９を備えている。この複数の第１のエアバッグ２８，２８，２８は、段ボール板５側の縁部のヒンジ部２８ａがネジ３０によりベース部材１９に固定されている。また、複数の第２のエアバッグ２９，２９は、対向縁部側のヒンジ部２９ａがブラケット２２と可動支持板１９の間で挟持固定されている。
【００３０】
尚、図示は省略したが、挟持用支持板２０はゴム或いはスプリング等の付勢手段で可動支持板１９側に回動付勢され、可動支持板１９はゴム或いはスプリング等の付勢手段でベース部材１８側に回動付勢されている。
＜制御回路＞
また、エアマッサージ装置１は、図１，図１３，図１４に示したリモコン３１と、リモコン３１からの操作信号が入力される図１４の演算制御回路（制御手段）３２と、演算制御回路３２により作動制御されるエア給排気手段（エア給排気装置）３３を有する。
【００３１】
このエア給排気手段３３は、エア供給源であるエアポンプ３４と、エアポンプ３４のエア吐出口（図示せず）に接続されたエア分配装置３５を有する。このエア分配装置３５は、エアポンプ３４のエア吐出口をエアバッグ７〜１０，１２〜１５，１７，２８，２９のいずれかに選択的に連通させて、エアポンプ３４からのエアをエアバッグ７〜１０，１２〜１５，１７，２８，２９のいずれかに供給できるようになっている。また、エア分配装置３５は、エアバッグ７〜１０，１２〜１５，１７，２８，２９を大気に連通させて、エアバッグ７〜１０，１２〜１５，１７，２８，２９からエアを大気に排気させることができるようになっている。この様なエア分配装置３５としては、周知のロータリーバルブや電磁弁等を用いることができるので、その詳細な説明は省略する。尚、エアポンプ３４及びエア分配装置３５は演算制御回路３２により作動制御されるようになっている。
【００３２】
また、リモコン３１は、図１３に示したように、「入／切」の電源スイッチ３６，停止スイッチ３７，首・肩用スイッチ３８，首用スイッチ３９，肩用スイッチ４０，背中用スイッチ４１，腰用スイッチ４２，大腿用スイッチ４３，自動コース用スイッチ４４、間隔調整用の＋スイッチ４５，−スイッチ４６等を有する。そして、スイッチ３６〜４６等からの操作信号（ＯＮ信号）は演算制御回路３２に入力されるようになっている。
次に、この様な構成のエアマッサージ装置１の演算制御回路３２によるマッサージ制御について説明する。
【００３３】
このようなエアマッサージ装置１を利用する場合において利用者は、首の部分がマッサージ手段４の指圧部材２７，２７間の上方に位置し、背中がエアバッグ７〜１０の上に位置し、腰がエアバッグ１２〜１５の上に位置し、大腿部がエアバッグ１７上に位置するように、マット本体２上に仰向に寝て、リモコン３１を操作する。
【００３４】
そして、このリモコン３１の電源スイッチ３６をＯＮさせると演算制御回路３２が制御動作の待機状態となる。この状態において、演算制御回路３２は、スイッチ３６〜４４のいずれかを操作すると、エアポンプ３４を作動させると共に、エア分配装置３５の作動制御を開始する。
（背中）
また、演算制御回路３２は、背中用スイッチ４１をＯＮさせると、エア分配装置３５を作動制御して、エアバッグ７〜１０を所定の順に膨張・収縮させて、利用者の背中のマッサージをエアバッグ７〜１０により行わせる。
【００３５】
しかも、エアバッグ７〜１０は、ヒンジ７ａ，８ａ，９ａ，１０ａから自由端に向う方向が、段ボール板５の縦壁（支持壁）５ｃの延びる方向（マット本体２の長手方向）と一致させられている。この結果、エアバッグ７〜１０が膨張させられるときの圧力が段ボール板５に作用しても、縦壁（支持壁）５ｃに沿って折れる様な力が段ボール板５に作用しないので、エアバッグ７〜１０が膨張させられるときの圧力で、段ボール板５が縦壁（支持壁）５ｃに沿って折れる様なことが防止される。
【００３６】
また、エアバッグ７〜１０は硬質の段ボール板５上に取り付けられているので、エアバッグ７〜１０を膨張させたときに、エアバッグ７〜１０が沈むようなことはない。
（腰）
更に、演算制御回路３２は、腰用スイッチ４２をＯＮさせると、エア分配装置３５を作動制御してエアバッグ１２〜１５及び１２′〜１５′を所定の順に膨張・収縮させて、利用者の腰のマッサージをエアバッグ１２〜１５及び１２′〜１５′により行わせる。
【００３７】
尚、エアバッグ１２〜１５は、ヒンジ１２ａ，１３ａ，１４ａ，１５ａから自由端に向う方向が、段ボール板６の縦壁（支持壁）６ｃの延びる方向（マット本体２の左右方向）と一致させられている。しかも、エアバッグ１２′〜１５′は、ヒンジ１２ａ′，１３ａ′，１４ａ′，１５ａ′から自由端に向う方向が、段ボール板６の縦壁（支持壁）６ｃの延びる方向（マット本体２の左右方向）と一致させられている。
【００３８】
これらの結果、エアバッグ１２〜１５及び１２′〜１５′が膨張させられるときの圧力が段ボール板６に作用しても、縦壁（支持壁）６ｃに沿って折れる様な力が段ボール板６に作用しないので、エアバッグ１２〜１５が膨張させられるときの圧力で、段ボール板６が縦壁（支持壁）６ｃに沿って折れる様なことが防止される。
【００３９】
しかも、エアバッグ１２〜１５及び１２′〜１５′は硬質の段ボール板６上に取り付けられているので、エアバッグ１２〜１５及び１２′〜１５′を膨張させたときに、エアバッグ１２〜１５及び１２′〜１５′が沈むようなことはない。
（大腿部）
また、演算制御回路３２は、大腿用スイッチ４３をＯＮさせると、エア分配装置３５を作動制御して、エアバッグ１７を膨張・収縮させて、利用者の大腿部のマッサージをエアバッグ１７により行わせる。
（首・肩）
また、演算制御回路３２は、首・肩用スイッチ３８をＯＮさせると、エア給排気手段３３のエア分配装置３５を作動制御して、複数の第１のエアバッグ２８にエアを供給し、複数の第１のエアバッグ２８を膨張させる。この第１のエアバッグ２８の膨張により、可動支持板１９がヒンジ２１を中心に利用者の肩側に向けて回動させられ、可動支持板１９に取り付けられた挟持用支持板２０，２０が利用者の肩側に向けて回動させられる。この結果、指圧部材２７，２７も挟持用支持板２０，２０と一体に利用者の肩側に向けて回動させられる。
【００４０】
この際、演算制御回路３２は、エア給排気手段３３のエア分配装置３５を作動制御して、複数の第２のエアバッグ２９にエアを供給し、複数の第２のエアバッグ２９を膨張させる。この第２のエアバッグ２９の膨張により、挟持用支持板２０，２０がヒンジ２４，２４を中心に利用者の首側に（自由端部同士が互いに接近する方向に）向けて回動させられ、指圧部材２７，２７が挟持用支持板２０，２０と一体に利用者の首側に向けて回動させられる。
【００４１】
この様な動作により、指圧部材２７，２７は、利用者の肩側に向けて回動させられると同時に首側に向けて回動させられる。この結果、指圧部材２７，２７は、利用者の首の付け根の近傍を左右から挟持するように押圧しながら、首の付け根側に移動させられて、最終的には首の付け根の部分を左右から挟持するように押圧する。
【００４２】
この後、演算制御回路３２は、エア分配装置３５を作動制御して、複数の第１のエアバッグ２８及び第２のエアバッグ２９のエアを大気に排気させ、複数の第１のエアバッグ２８及び第２のエアバッグ２９を収縮させる。これにより、可動支持板１９，挟持用支持板２０，指圧部材２７，２７等が上述とは逆に動作させられて、原状に復帰させられる。
【００４３】
このようなエアバッグ２８，２９の膨張・収縮動作の繰り返しにより、利用者の首の付け根の部分のマッサージが行われる。
【００４４】
従って、利用者の首の付け根の部分を人が行う指圧動作と同じように指圧部材２７，２７でマッサージできる。
（首）
また、演算制御回路３２は、首用スイッチ３９をＯＮさせると、エア給排気手段３３のエア分配装置３５を作動制御して、複数の第２のエアバッグ２９にエアを供給し、複数の第２のエアバッグ２９を膨張させる。この第２のエアバッグ２９の膨張により、挟持用支持板２０，２０がヒンジ２４，２４を中心に利用者の首側に（自由端部同士が互いに接近する方向に）向けて回動させられ、指圧部材２７，２７が挟持用支持板２０，２０と一体に利用者の首側に向けて回動させられる。
【００４５】
この動作により、指圧部材２７，２７は、利用者の首側に向けて回動させられて、利用者の首を左右から挟持するように押圧する。従って、利用者の首の左右の部分が指圧部材２７，２７でマッサージされる。
【００４６】
この後、演算制御回路３２は、エア分配装置３５を作動制御して、複数の第２のエアバッグ２９のエアを大気に排気させ、複数の第２のエアバッグ２９を収縮させる。これにより、挟持用支持板２０，指圧部材２７，２７等が上述とは逆に動作させられて、原状に復帰させられる。
【００４７】
このようなエアバッグ２９の膨張・収縮動作の繰り返しにより、利用者の首の左右の部分のマッサージが行われる。
（肩）
また、演算制御回路３２は、肩用スイッチ４０をＯＮさせると、エア給排気手段３３のエア分配装置３５を作動制御して、複数の第１のエアバッグ２８にエアを供給し、複数の第１のエアバッグ２８を膨張させる。この第１のエアバッグ２８の膨張により、可動支持板１９がヒンジ２１を中心に利用者の肩側に向けて回動させられ、可動支持板１９に取り付けられた挟持用支持板２０，２０が利用者の肩側に向けて回動させられる。この結果、指圧部材２７，２７も挟持用支持板２０，２０と一体に利用者の肩側に向けて回動させられ、指圧部材２７，２７が利用者の肩を押圧する。
【００４８】
この後、演算制御回路３２は、エア分配装置３５を作動制御して、複数の第１のエアバッグ２８のエアを大気に排気させ、複数の第１のエアバッグ２８を収縮させる。これにより、可動支持板１９，挟持用支持板２０，指圧部材２７，２７等が上述とは逆に動作させられて、原状に復帰させられる。
【００４９】
このようなエアバッグ２８の膨張・収縮動作の繰り返しにより、利用者の左右の肩のマッサージが行われる。
【００５０】
また、このような肩のマッサージ動作中に＋スイッチ４５，−スイッチ４６を操作することで、指圧部材２７，２７の先端部同士の間隔を調整して、肩のマッサージ部位を変更することができる。
【００５１】
すなわち、演算制御回路３２は、肩のマッサージ動作中に−スイッチ４６が操作されると、エア給排気手段３３のエア分配装置３５を作動制御して、複数の第２のエアバッグ２９にエアを所定量だけ供給し、複数の第２のエアバッグ２９を所定量だけ膨張させる。この第２のエアバッグ２９の膨張により、挟持用支持板２０，２０がヒンジ２４，２４を中心に利用者の首側に（自由端部同士が互いに接近する方向に）向けて所定量だけ回動させられ、指圧部材２７，２７の間隔が所定量だけ狭められる。この様にして指圧部材２７，２７の間隔は、−スイッチ４６を押すごとに所定量ずつ段階的に狭められる。
【００５２】
また、演算制御回路３２は、複数の第２のエアバッグ２９が膨張させられている状態で、肩のマッサージ動作中に＋スイッチ４５が操作されると、エア給排気手段３３のエア分配装置３５を作動制御して、複数の第２のエアバッグ２９のエアを大気中に所定量だけ排気し、複数の第２のエアバッグ２９を所定量だけ収縮させる。この第２のエアバッグ２９の収縮により、挟持用支持板２０，２０がヒンジ２４，２４を中心に利用者の首とは反対方向に（自由端部同士が互いに離反する方向に）向けて所定量だけ回動させられ、指圧部材２７，２７の間隔が所定量だけ広げられる。この様にして指圧部材２７，２７の間隔は、＋スイッチ４５を押すごとに所定量ずつ段階的に広げられる。
【００５３】
尚、−スイッチ４６が押されている間だけ複数の第２のエアバッグ２９にエアを連続的に供給して、指圧部材２７，２７の間隔を連続的に狭める一方、＋スイッチ４５が押されている間だけ複数の第２のエアバッグ２９のエアを連続的に大気中に排気させて、指圧部材２７，２７の間隔を連続的に広げるようにすることもできる。
【００５４】
このような＋スイッチ４５，−スイッチ４６等の操作をすることなく、自動的に指圧部材２７，２７の間隔を段階的に狭めたり広げたりするように設定することもできる。この制御は、演算制御回路３２によりエアポンプ３４及びエア分配装置３５を作動制御して、エアバッグ２９へエアを所定量ずつ段階的に供給させるか、又はエアバッグ２９のエアを所定量ずつ段階的に大気中に排気させることで実行できる。
【００５５】
以上説明したように、この発明の実施の形態のマッサージ装置は、軟質材料製のマット本体２上に配設されたエアバッグ７〜１０（又は１２〜１５及び１２′〜１５′）をエア給排気手段３３により膨張・収縮させるようにしている。しかも、このマッサージ装置では、前記マット本体２の上に容易に屈曲しない板状部材［プラスチック製で硬質の段ボール板５（又は６）］が配設され、前記エアバッグ７〜１０（又は１２〜１５及び１２′〜１５′）が前記板状部材［段ボール板５（６）］上に取り付けられている。
【００５６】
この構成によれば、軟質材料製のマット本体２上にエアバッグ７〜１０（又は１２〜１５及び１２′〜１５′）が配設されていても、このエアバッグ７〜１０（又は１２〜１５及び１２′〜１５′）が膨張するときに、エアバッグ７〜１０（又は１２〜１５及び１２′〜１５′）がマット本体２内に沈むことがなく、人体に対して十分なマッサージ力が得られる。
【００５７】
また、この発明の実施の形態のマッサージ装置は、板状部材［前記段ボール板（５，６）］は前記マット本体２の長手方向に複数隣接して配設されていると共に、前記マット本体２は前記隣接する板状部材間［段ボール板（５，６）間］で折り畳み可能に設けられている。
【００５８】
この構成によれば、膨張時にエアバッグ７〜１０（又は１２〜１５及び１２′〜１５′）が沈み込むのを防止する板状部材［段ボール板５（６）］をマット本体２上に配設しても、マット本体２を隣接する板状部材間［段ボール板（５，６）間］で容易に折り畳んで収納することができる。
【００５９】
更に、この発明の実施の形態のマッサージ装置では前記板状部材はプラスチック製の段ボール板５（６）であり、前記段ボール板５（６）は上壁５ａ（６ａ），下壁５ｂ（６ｂ）及びこれらを間隔をおいて一体に結合している平行な複数の支持壁（縦壁５ｃ，６ｃ）を備え、前記エアバッグ７〜１０（又は１２〜１５及び１２′〜１５′）は一側縁部に設けた保持手段［ネジ１１（又は１６）、若しくはヒンジ７ａ〜１０ａ（又は１２ａ〜１５ａ及び１２ａ′〜１５ａ′）］を介して前記段ボール板５（又は６）の上壁５ａ（又は６ａ）に取り付けられていると共に、前記エアバッグ７〜１０（又は１２〜１５及び１２′〜１５′）は前記保持手段［ネジ１１（又は１６）、若しくはヒンジ７ａ〜１０ａ（又は１２ａ〜１５ａ及び１２ａ′〜１５ａ′）］から自由端部に向かう方向が前記支持壁の延びる方向と一致させられている。
【００６０】
この構成によれば、エアバッグ７は、保持手段（ネジ１１、若しくはヒンジ７ａ）から自由端に向う方向が、段ボール板５の縦壁（支持壁）５ｃの延びる方向（マット本体２の長手方向）と一致させられている。同様に、エアバッグ８〜１０は、保持手段（ネジ１１、若しくはヒンジ８ａ，９ａ，１０ａ）から自由端に向う方向が、段ボール板５の縦壁（支持壁）５ｃの延びる方向（マット本体２の長手方向）と一致させられている。これらの結果、エアバッグ７〜１０が膨張させられるときの圧力で、段ボール板５が縦壁（支持壁）５ｃに沿って折れる様なことが防止される様になっている。
【００６１】
また、エアバッグ１２は、保持手段（ネジ１６、若しくはヒンジ１２ａ）から自由端に向う方向が、段ボール板６の縦壁（支持壁）６ｃの延びる方向（マット本体２の左右方向）と一致させられている。同様にエアバッグ１３〜１５は、保持手段（ネジ１６、若しくはヒンジ１３ａ，１４ａ，１５ａ）から自由端に向う方向が、段ボール板６の縦壁（支持壁）６ｃの延びる方向（マット本体２の左右方向）と一致させられている。また、同様にエアバッグ１２′〜１５′は、保持手段（ネジ１６、若しくはヒンジ１２ａ′，１３ａ′，１４ａ′，１５ａ′）から自由端に向う方向が、段ボール板６の縦壁（支持壁）６ｃの延びる方向（マット本体２の左右方向）と一致させられている。これらの結果、エアバッグ１２〜１５及び１２′〜１５′が膨張させられるときの圧力で、段ボール板６が縦壁（支持壁）６ｃに沿って折れる様なことが防止される様になっている。
【００６２】
【発明の効果】
以上説明したようにこの発明は、軟質材料製のマット本体上にエアバッグが配設されていても、このエアバッグが膨張するときにエアバッグがマット本体内に沈むことがなく、人体に対して十分なマッサージ力が得られる。
【図面の簡単な説明】
【図１】この発明にかかるエアマッサージ装置の概略斜視図である。
【図２】図１の首，肩用のマッサージ手段側の部分拡大斜視図である。
【図３】図１の腰用のエアバッグ側の部分拡大斜視図である。
【図４】図１の２つの段ボール板の部分拡大斜視図である。
【図５】図１の２つの段ボール板とエアバッグとの関係を示す部分拡大平面図である。
【図６】図５のＡ１−Ａ１線に沿う断面図である。
【図７】図５のＡ２−Ａ２線に沿う断面図である。
【図８】図５のＡ３−Ａ３線に沿う断面図である。
【図９】図１，図２の首，肩用のマッサージ手段の拡大斜視図である。
【図１０】図９の首，肩用のマッサージ手段の作用説明図である。
【図１１】図９の首，肩用のマッサージ手段の作用説明図である。
【図１２】図１０のＡ４−Ａ４線に沿う断面図である。
【図１３】図１のリモコンの部分拡大説明図である。
【図１４】図１のエアマッサージ装置の制御回路図である。
【符号の説明】
１…エアマッサージ装置（マッサージ装置）
２…マット本体
３３…エア給排気手段
５，６…段ボール板（板状部材）
５ａ，６ａ…上壁
５ｂ，６ｂ…下壁
５ｃ，６ｃ…縦壁（支持壁）
７〜１０…エアバッグ
７ａ〜１０ａ…ヒンジ（保持手段）
１１…ネジ（保持手段）
１２〜１５…エアバッグ
１２ａ〜１５ａ…ヒンジ（保持手段）
１２′〜１５′…エアバッグ
１２ａ′〜１５ａ′…ヒンジ（保持手段）
１６…ネジ（保持手段）
【図１】
2004255068.tif 000003
【図２】
2004255068.tif 000004
【図３】
2004255068.tif 000005
【図４】
2004255068.tif 000006
【図５】
2004255068.tif 000007
【図６】
2004255068.tif 000008
【図７】
2004255068.tif 000009
【図８】
2004255068.tif 000010
【図９】
2004255068.tif 000011
【図１０】
2004255068.tif 000012
【図１１】
2004255068.tif 000013
【図１２】
2004255068.tif 000014
【図１３】
2004255068.tif 000015
【図１４】
2004255068.tif 000016